(57)【特許請求の範囲】
【請求項１】
物体側から順に、負の屈折力を有する第１レンズ群と、開口絞りと、正の屈折力を有する第２レンズ群とからなり、
前記第１レンズ群は、物体側から順に、物体側に凸面を向けた第１負メニスカスレンズと、物体側に凸面を向けた正レンズと、物体側に凸面を向けた第２負メニスカスレンズとを有し、
前記第２負メニスカスレンズは、非球面レンズであり、
前記第２レンズ群は、物体側から順に、正の屈折力を有する第２−１レンズ群と、正の屈折力を有する第２−２レンズ群とからなり、
遠距離から近距離へのフォーカシングに際して前記第２−２レンズ群のみを物体側へ移動し、
以下の条件式を満足することを特徴とするレトロフォーカスレンズ。
−１．８０＜ｆ１／ｆ＜−０．５０
２．００＜ｆ２／ｆ＜３．６０
０．４＜ｆ２１／ｆ２２＜０．８
０．１＜Ｍ２２＜０．４
ただし、
ｆ  ：前記レトロフォーカスレンズの焦点距離
ｆ１：前記第１レンズ群の焦点距離
ｆ２：前記第２レンズ群の焦点距離
ｆ２１：前記第２−１レンズ群の焦点距離
ｆ２２：前記第２−２レンズ群の焦点距離
Ｍ２２：前記第２−２レンズ群の結像倍率
【請求項２】
物体側から順に、負の屈折力を有する第１レンズ群と、開口絞りと、正の屈折力を有する第２レンズ群とからなり、
前記第１レンズ群は、物体側から順に、物体側に凸面を向けた第１負メニスカスレンズと、物体側に凸面を向けた正レンズと、物体側に凸面を向けた第２負メニスカスレンズとを有し、
前記第２負メニスカスレンズは、非球面レンズであり、
前記第２レンズ群は、物体側から順に、正の屈折力を有する第２−１レンズ群と、正の屈折力を有する第２−２レンズ群と、正の屈折力を有する第２−３レンズ群とからなり、
遠距離から近距離へのフォーカシングに際して前記第２−２レンズ群のみを物体側へ移動し、
以下の条件式を満足することを特徴とするレトロフォーカスレンズ。
−１．８０＜ｆ１／ｆ＜−０．５０
２．００＜ｆ２／ｆ＜３．６０
０．５＜ｆ２２／ｆ２３＜１．２
０．３＜Ｍ２２＜０．９
ただし、
ｆ  ：前記レトロフォーカスレンズの焦点距離
ｆ１：前記第１レンズ群の焦点距離
ｆ２：前記第２レンズ群の焦点距離
ｆ２２：前記第２−２レンズ群の焦点距離
ｆ２３：前記第２−３レンズ群の焦点距離
Ｍ２２：前記第２−２レンズ群の結像倍率
【請求項３】
物体側から順に、負の屈折力を有する第１レンズ群と、開口絞りと、正の屈折力を有する第２レンズ群とからなり、
前記第１レンズ群は、物体側から順に、物体側に凸面を向けた第１負メニスカスレンズと、物体側に凸面を向けた正レンズと、物体側に凸面を向けた第２負メニスカスレンズとを有し、
前記第２負メニスカスレンズは、非球面レンズであり、
前記第２レンズ群は、物体側から順に、正の屈折力を有する第２−１レンズ群と、第２−２レンズ群と、正の屈折力を有する第２−３レンズ群とからなり、
遠距離から近距離へのフォーカシングに際して前記第２−２レンズ群と前記第２−３レンズ群とを物体側へ異なる比率で移動し、
以下の条件式を満足することを特徴とするレトロフォーカスレンズ。
−１．８０＜ｆ１／ｆ＜−０．５０
２．００＜ｆ２／ｆ＜３．６０
０＜Ａ＜１
ただし、
ｆ  ：前記レトロフォーカスレンズの焦点距離
ｆ１：前記第１レンズ群の焦点距離
ｆ２：前記第２レンズ群の焦点距離
Ａ  ：フォーカシングの際の前記第２−２レンズ群の移動量に対する前記第２−３レンズ群の移動量
【請求項４】
以下の条件式を満足することを特徴とする請求項１から請求項３のいずれか一項に記載のレトロフォーカスレンズ。
４．５＜Ｒ１／ｆ＜９．０
３．０＜Ｒ２／ｆ＜４．５
６．０＜Ｒ３／ｆ＜１５．０
ただし、
Ｒ１：前記第１負メニスカスレンズの物体側レンズ面の曲率半径
Ｒ２：前記第１負メニスカスレンズの像側レンズ面の曲率半径
Ｒ３：前記正レンズの物体側レンズ面の曲率半径
【請求項５】
前記第１レンズ群は、前記第２負メニスカスレンズよりも像側に、少なくとも３枚のレンズを有し、
以下の条件式を満足することを特徴とする請求項１から請求項４のいずれか一項に記載のレトロフォーカスレンズ。
２．０＜ΣＤ／ｆ＜４．０
ただし、
ΣＤ：前記第１レンズ群中にあって、前記第２負メニスカスレンズよりも像側に位置するレンズの光軸上の厚さの和
【請求項６】
前記第２負メニスカスレンズの像側面は、周辺部において中心部よりも負の屈折力が小さくなる非球面であることを特徴とする請求項１から請求項５のいずれか一項に記載のレトロフォーカスレンズ。
【請求項７】
前記第２レンズ群は、少なくとも１枚の正レンズを有し、
以下の条件式を満足することを特徴とする請求項１から請求項６のいずれか一項に記載のレトロフォーカスレンズ。
７５＜νＰ
ただし、
νＰ：前記第２レンズ群における前記正レンズの硝材のｄ線（λ＝５８７．６ｎｍ）に対するアッベ数
【請求項８】
物体側から順に、負の屈折力を有する第１レンズ群と、開口絞りと、正の屈折力を有する第２レンズ群とからなり、
前記第１レンズ群は、物体側から順に、物体側に凸面を向けた第１負メニスカスレンズと、物体側に凸面を向けた正レンズと、物体側に凸面を向けた第２負メニスカスレンズと、少なくとも３枚のレンズとを有し、
前記第２負メニスカスレンズは、非球面レンズであり、
以下の条件式を満足することを特徴とするレトロフォーカスレンズ。
２．５＜ΣＤ／ｆ＜４．０
−１．８０＜ｆ１／ｆ＜−０．５０
２．００＜ｆ２／ｆ＜３．６０
ただし、
ΣＤ：前記第１レンズ群中にあって、前記第２負メニスカスレンズよりも像側に位置するレンズの光軸上の厚さの和
ｆ  ：前記レトロフォーカスレンズの焦点距離
ｆ１：前記第１レンズ群の焦点距離
ｆ２：前記第２レンズ群の焦点距離
【発明の詳細な説明】
【技術分野】
【０００１】
本発明は、フィルムまたは固体撮像素子を用いる一眼レフカメラに好適なレンズに関し、特に、長いバックフォーカスを有するレトロフォーカスレンズに関する。
【背景技術】
【０００２】
従来、フィルムまたは固体撮像素子を用いる一眼レフカメラに適したレトロフォーカスレンズが知られている（例えば、特許文献１参照。）。
【特許文献１】特開平５−３４５９２号公報
【発明の開示】
【発明が解決しようとする課題】
【０００３】
しかしながら、上記特許文献１に開示されているレトロフォーカスレンズは、バックフォーカスが焦点距離の２．７３〜２．７５倍である。このため、このレトロフォーカスレンズでより短い焦点距離を得ようとすると、一眼レフファインダ用のクイックリターンミラーと干渉してしまうという問題がある。
【０００４】
そこで本発明は上記問題点に鑑みてなされたものであり、フィルム又は固体撮像素子を用いる一眼レフカメラに適し、焦点距離の３．５倍以上のバックフォーカスを有し、良好な結像性能を有するレトロフォーカスレンズを提供することを目的とする。
【課題を解決するための手段】
【０００５】
上記課題を解決するために本発明は、
物体側から順に、負の屈折力を有する第１レンズ群と、開口絞りと、正の屈折力を有する第２レンズ群とからなり、
前記第１レンズ群は、物体側から順に、物体側に凸面を向けた第１負メニスカスレンズと、物体側に凸面を向けた正レンズと、物体側に凸面を向けた第２負メニスカスレンズとを有し、
前記第２負メニスカスレンズは、非球面レンズであり、
前記第２レンズ群は、物体側から順に、正の屈折力を有する第２−１レンズ群と、正の屈折力を有する第２−２レンズ群とからなり、
遠距離から近距離へのフォーカシングに際して前記第２−２レンズ群のみを物体側へ移動し、
以下の条件式を満足することを特徴とするレトロフォーカスレンズを提供する。
−１．８０＜ｆ１／ｆ＜−０．５０
２．００＜ｆ２／ｆ＜３．６０
０．４＜ｆ２１／ｆ２２＜０．８
０．１＜Ｍ２２＜０．４
ただし、
ｆ  ：前記レトロフォーカスレンズの焦点距離
ｆ１：前記第１レンズ群の焦点距離
ｆ２：前記第２レンズ群の焦点距離
ｆ２１：前記第２−１レンズ群の焦点距離
ｆ２２：前記第２−２レンズ群の焦点距離
Ｍ２２：前記第２−２レンズ群の結像倍率
また本発明は、
物体側から順に、負の屈折力を有する第１レンズ群と、開口絞りと、正の屈折力を有する第２レンズ群とからなり、
前記第１レンズ群は、物体側から順に、物体側に凸面を向けた第１負メニスカスレンズと、物体側に凸面を向けた正レンズと、物体側に凸面を向けた第２負メニスカスレンズとを有し、
前記第２負メニスカスレンズは、非球面レンズであり、
前記第２レンズ群は、物体側から順に、正の屈折力を有する第２−１レンズ群と、正の屈折力を有する第２−２レンズ群と、正の屈折力を有する第２−３レンズ群とからなり、
遠距離から近距離へのフォーカシングに際して前記第２−２レンズ群のみを物体側へ移動し、
以下の条件式を満足することを特徴とするレトロフォーカスレンズを提供する。
−１．８０＜ｆ１／ｆ＜−０．５０
２．００＜ｆ２／ｆ＜３．６０
０．５＜ｆ２２／ｆ２３＜１．２
０．３＜Ｍ２２＜０．９
ただし、
ｆ  ：前記レトロフォーカスレンズの焦点距離
ｆ１：前記第１レンズ群の焦点距離
ｆ２：前記第２レンズ群の焦点距離
ｆ２２：前記第２−２レンズ群の焦点距離
ｆ２３：前記第２−３レンズ群の焦点距離
Ｍ２２：前記第２−２レンズ群の結像倍率
また本発明は、
物体側から順に、負の屈折力を有する第１レンズ群と、開口絞りと、正の屈折力を有する第２レンズ群とからなり、
前記第１レンズ群は、物体側から順に、物体側に凸面を向けた第１負メニスカスレンズと、物体側に凸面を向けた正レンズと、物体側に凸面を向けた第２負メニスカスレンズとを有し、
前記第２負メニスカスレンズは、非球面レンズであり、
前記第２レンズ群は、物体側から順に、正の屈折力を有する第２−１レンズ群と、第２−２レンズ群と、正の屈折力を有する第２−３レンズ群とからなり、
遠距離から近距離へのフォーカシングに際して前記第２−２レンズ群と前記第２−３レンズ群とを物体側へ異なる比率で移動し、
以下の条件式を満足することを特徴とするレトロフォーカスレンズを提供する。
−１．８０＜ｆ１／ｆ＜−０．５０
２．００＜ｆ２／ｆ＜３．６０
０＜Ａ＜１
ただし、
ｆ  ：前記レトロフォーカスレンズの焦点距離
ｆ１：前記第１レンズ群の焦点距離
ｆ２：前記第２レンズ群の焦点距離
Ａ  ：フォーカシングの際の前記第２−２レンズ群の移動量に対する前記第２−３レンズ群の移動量
また本発明は、
物体側から順に、負の屈折力を有する第１レンズ群と、開口絞りと、正の屈折力を有する第２レンズ群とからなり、
前記第１レンズ群は、物体側から順に、物体側に凸面を向けた第１負メニスカスレンズと、物体側に凸面を向けた正レンズと、物体側に凸面を向けた第２負メニスカスレンズと、少なくとも３枚のレンズとを有し、
前記第２負メニスカスレンズは、非球面レンズであり、
以下の条件式を満足することを特徴とするレトロフォーカスレンズを提供する。
２．５＜ΣＤ／ｆ＜４．０
−１．８０＜ｆ１／ｆ＜−０．５０
２．００＜ｆ２／ｆ＜３．６０
ただし、
ΣＤ：前記第１レンズ群中にあって、前記第２負メニスカスレンズよりも像側に位置するレンズの光軸上の厚さの和
ｆ  ：前記レトロフォーカスレンズの焦点距離
ｆ１：前記第１レンズ群の焦点距離
ｆ２：前記第２レンズ群の焦点距離
【発明の効果】
【０００６】
本発明によれば、フィルム又は固体撮像素子を用いる一眼レフカメラに適し、焦点距離の３．５倍以上のバックフォーカスを有し、良好な結像性能を有するレトロフォーカスレンズを提供することができる。
【発明を実施するための最良の形態】
【０００７】
本発明のレトロフォーカスレンズは、物体側から順に、負の屈折力を有する第１レンズ群と、開口絞りと、正の屈折力を有する第２レンズ群とを有し、前記第１レンズ群は、物体側から順に、物体側に凸面を向けた第１負メニスカスレンズと、物体側に凸面を向けた正レンズと、物体側に凸面を向けた第２負メニスカスレンズとを有し、前記第２負メニスカスレンズは、非球面レンズであり、焦点距離の３．５倍以上のバックフォーカスを有し、以下の条件式（１），（２）を満足するように構成されている。
（１）  −１．８０＜ｆ１／ｆ＜−０．５０
（２）  ２．００＜ｆ２／ｆ＜３．６０
ただし、
ｆ  ：前記レトロフォーカスレンズの焦点距離
ｆ１：前記第１レンズ群の焦点距離
ｆ２：前記第２レンズ群の焦点距離
【０００８】
上述のように本発明のレトロフォーカスレンズは、前記第１レンズ群が、物体側から順に、物体側に凸面を向けた第１負メニスカスレンズと、物体側に凸面を向けた正レンズとを有する構成とすることによって、少ない歪曲収差で約１１０°の超広角を実現することができる。また、前記正レンズの像側に、物体側に凸面を向け非球面を有する第２負メニスカスレンズを配置することによって、超広角レンズで問題となりがちな歪曲収差と像面湾曲とを良好に補正することができる。
【０００９】
上記条件式（１），（２）は、本発明のレトロフォーカスレンズにおいて焦点距離の３．５倍以上のバックフォーカスを得るための条件式である。
条件式（１）は、第１レンズ群の焦点距離の適切な範囲を規定するものである。条件式（１）の下限値を下回ると、十分なバックフォーカスを得ることが困難となってしまう。一方、条件式（１）の上限値を上回ると、第１レンズ群の屈折力が過大となり良好な収差補正を行うことが困難となってしまう。
条件式（２）は、第２レンズ群の焦点距離の適切な範囲を規定するものである。条件式（２）の下限値を下回ると、第２レンズ群の屈折力が過大となり良好な収差補正を行うことが困難となってしまう。一方、条件式（２）の上限値を上回ると、十分なバックフォーカスを得ることが困難となってしまう。
【００１０】
なお、本発明の効果をさらに確実なものとするために、条件式（１）の下限値を−１．４３とすることが望ましい。また、条件式（１）の上限値を−０．６０とすることが望ましい。また、条件式（２）の下限値を２．２０とすることが望ましい。また、条件式（２）の上限値を３．３０とすることが望ましい。
【００１１】
また、本発明の好ましい態様によれば、本発明のレトロフォーカスレンズは、以下の条件式（３），（４），（５）を満足することが望ましい。
（３）  ４．５＜Ｒ１／ｆ＜９．０
（４）  ３．０＜Ｒ２／ｆ＜４．５
（５）  ６．０＜Ｒ３／ｆ＜１５．０
ただし、
Ｒ１：前記第１負メニスカスレンズの物体側レンズ面の曲率半径
Ｒ２：前記第１負メニスカスレンズの像側レンズ面の曲率半径
Ｒ３：前記正レンズの物体側レンズ面の曲率半径
【００１２】
条件式（３），（４），（５）は、本発明のレトロフォーカスレンズにおける前記第１負メニスカスレンズの小型化と加工の容易性の向上、及び良好な結像性能の確保を両立するための条件式である。
条件式（３）は、第１負メニスカスレンズの物体側レンズ面の曲率半径の適切な範囲を規定するものである。条件式（３）の上限値を上回ると、第１負メニスカスレンズの物体側レンズ面の曲率半径が大きくなり、１１０°程度の超広画角を得ようとすれば第１負メニスカスレンズのレンズ径が著しく増大してしまう。一方、条件式（３）の下限値を下回ると、第１負メニスカスレンズの物体側レンズ面の曲率半径が小さくなり、これにしたがい第１負メニスカスレンズの像側レンズ面の曲率半径も小さくなる。この結果、第１負メニスカスレンズの加工が著しく困難となってしまう。
【００１３】
条件式（４）は、第１負メニスカスレンズの像側レンズ面の曲率半径の適切な範囲を規定するものである。条件式（４）の上限値を上回ると、第１負メニスカスレンズの像側レンズ面の曲率半径が大きくなり、１１０°程度の超広画角を得ることが困難となってしまう。一方、条件式（４）の下限値を下回ると、第１負メニスカスレンズの加工が著しく困難となってしまう。
条件式（５）は、前記正レンズの物体側レンズ面の曲率半径の適切な範囲を規定するものである。条件式（５）の上限値又は下限値を越えると、歪曲収差を良好に補正することが困難となってしまう。
【００１４】
また、本発明の好ましい態様によれば、本発明のレトロフォーカスレンズにおける前記第１レンズ群は、前記第２負メニスカスレンズよりも像側に、少なくとも３枚のレンズを有し、以下の条件式（６）を満足することが、歪曲収差並びに像面湾曲収差を補正する上で望ましい。
（６）  ２．０＜ΣＤ／ｆ＜４．０
ただし、
ΣＤ：前記第１レンズ群中にあって、前記第２負メニスカスレンズよりも像側に位置するレンズの光軸上の厚さの和
【００１５】
条件式（６）は、前記第１レンズ群中にあって、前記第２負メニスカスレンズよりも像側に位置するレンズの光軸上の厚さの和の適切な範囲を規定するものである。
条件式（６）の下限値を下回ると、歪曲収差・像面湾曲収差を良好に補正することが困難となってしまう。一方、条件式（６）の上限値を上回ると、第１レンズ群の全長の増大を招くだけでなく、レトロフォーカスレンズ全体の全長の増大やレンズ径の増大を招くこととなってしまう。
なお、本発明の効果をさらに確実なものとするためには、条件式（６）の下限値を２．５とすることが望ましい。
【００１６】
また、本発明の好ましい態様によれば、本発明のレトロフォーカスレンズにおける前記第２負メニスカスレンズの像側面は、周辺部において中心部よりも負の屈折力が小さくなる非球面であることが望ましい。斯かる非球面形状により、歪曲収差並びに像面湾曲収差を良好に補正することができる。
【００１７】
また、本発明の好ましい態様によれば、本発明のレトロフォーカスレンズにおいて、前記第２レンズ群は、少なくとも１枚の正レンズを有し、以下の条件式（７）を満足することが、倍率色収差を補正する上で望ましい。
（７）  ７５＜νＰ
ただし、
νＰ：前記第２レンズ群における前記正レンズの硝材のｄ線（λ＝５８７．６ｎｍ）に対するアッベ数
【００１８】
条件式（７）は、前記第２レンズ群における正レンズの硝材のｄ線（λ＝５８７．６ｎｍ）に対するアッベ数の適切な範囲を規定するものである。条件式（７）の下限値を下回ると、倍率色収差を良好に補正することが困難となってしまう。
なお、本発明のさらに好ましい態様によれば、本発明のレトロフォーカスレンズにおいて、前記第２レンズ群は、少なくとも２枚の正レンズを有し、当該２枚の正レンズがともに上記条件式（７）を満足することが望ましい。
【００１９】
また、本発明の好ましい態様によれば、本発明のレトロフォーカスレンズにおいて、前記第２レンズ群は、物体側から順に、正の屈折力を有する第２−１レンズ群と、正の屈折力を有する第２−２レンズ群とからなり、遠距離から近距離へのフォーカシングに際して前記第２−２レンズ群のみを物体側へ移動し、以下の条件式（８），（９）を満足することが望ましい。
（８）  ０．４＜ｆ２１／ｆ２２＜０．８
（９）  ０．１＜Ｍ２２＜０．４
ただし、
ｆ２１：前記第２−１レンズ群の焦点距離
ｆ２２：前記第２−２レンズ群の焦点距離
Ｍ２２：前記第２−２レンズ群の結像倍率
【００２０】
本発明のレトロフォーカスレンズは、比較的小さく軽い第２−２レンズ群によってフォーカシングを行う構成であるため、オートフォーカスカメラに好適である。また、全体繰り出しによるフォーカシングの場合に比べて、フォーカシングによる諸収差の変動が少なく、近距離撮影時にも良好な結像性能を達成することができる。
上記条件式（８）は、第２−１レンズ群の焦点距離と第２−２レンズ群の焦点距離との比の適切な範囲を規定するものである。条件式（８）の上限値を上回ると、フォーカシングによる諸収差の変動が増大し、近距離撮影時の良好な結像性能の確保が困難となってしまう。一方、条件式（８）の下限値を下回ると、第２−２レンズ群の焦点距離が大きくなり、第２−２レンズ群のフォーカシング移動量が増大する。このため、フォーカシングのためのレンズ移動スペースを確保するために、レンズが大型化してしまうという問題が生じてしまう。
【００２１】
条件式（９）は、第２−２レンズ群の結像倍率の適切な範囲を規定するものである。条件式（９）の下限値を下回ると、フォーカシングによる諸収差の変動が増大し、近距離撮影時の良好な結像性能の確保が困難となってしまう。一方、条件式（９）の上限値を上回ると、第２−２レンズ群のフォーカシング移動量が増大する。このため、フォーカシングのためのレンズ移動スペースを確保するために、レンズが大型化してしまうという問題が生じてしまう。
【００２２】
また、本発明の好ましい態様によれば、本発明のレトロフォーカスレンズにおいて、前記第２レンズ群は、物体側から順に、正の屈折力を有する第２−１レンズ群と、正の屈折力を有する第２−２レンズ群と、正の屈折力を有する第２−３レンズ群とからなり、遠距離から近距離へのフォーカシングに際して前記第２−２レンズ群のみを物体側へ移動し、以下の条件式（１０），（１１）を満足することが望ましい。
（１０）  ０．５＜ｆ２２／ｆ２３＜１．２
（１１）  ０．３＜Ｍ２２＜０．９
ただし、
ｆ２２：前記第２−２レンズ群の焦点距離
ｆ２３：前記第２−３レンズ群の焦点距離
Ｍ２２：前記第２−２レンズ群の結像倍率
【００２３】
本発明のレトロフォーカスレンズは、比較的小さく軽い第２−２レンズ群によってフォーカシングを行う構成であるため、オートフォーカスカメラに好適である。また、全体繰り出しによるフォーカシングの場合に比べて、フォーカシングによる諸収差の変動が少なく、近距離撮影時にも良好な結像性能を達成することができる。
【００２４】
上記条件式（１０）は、第２−２レンズ群の焦点距離と第２−３レンズ群の焦点距離との比の適切な範囲を規定するものである。条件式（１０）の下限値を下回ると、フォーカシングによる諸収差の変動が増大し、近距離撮影時の良好な結像性能の確保が困難となってしまう。一方、条件式（１０）の上限値を上回ると、第２−２レンズ群の焦点距離が大きくなり、第２−２レンズ群のフォーカシング移動量が増大する。このため、フォーカシングのためのレンズ移動スペースを確保するために、レンズが大型化してしまうという問題が生じてしまう。
上記条件式（１１）は、第２−２レンズ群の結像倍率の適切な範囲を規定するものである。条件式（１１）の下限値を下回ると、フォーカシングによる諸収差の変動が増大し、近距離撮影時の良好な結像性能の確保が困難となってしまう。一方、条件式（１１）の上限値を上回ると、第２−２レンズ群のフォーカシング移動量が増大する。このため、フォーカシングのためのレンズ移動スペースを確保するために、レンズが大型化してしまうという問題が生じてしまう。
【００２５】
また、本発明の好ましい態様によれば、本発明のレトロフォーカスレンズにおいて、前記第２レンズ群は、物体側から順に、正の屈折力を有する第２−１レンズ群と、第２−２レンズ群と、正の屈折力を有する第２−３レンズ群とからなり、遠距離から近距離へのフォーカシングに際して前記第２−２レンズ群と前記第２−３レンズ群とを物体側へ異なる比率で移動し、以下の条件式（１２）を満足することが望ましい。
（１２）  ０＜Ａ＜１
ただし、
Ａ：フォーカシングの際の前記第２−２レンズ群の移動量に対する前記第２−３レンズ群の移動量
【００２６】
本発明のレトロフォーカスレンズは、第２−２レンズ群と第２−３レンズ群を異なる比率で移動させてフォーカシングを行うことにより、全体繰り出しによるフォーカシングの場合に比べて、フォーカシングによる諸収差の変動が少なく、近距離撮影時にも良好な結像性能を達成することができる。
上記条件式（１２）は、フォーカシングに必要な空気間隔を少なくしつつ、フォーカシング時の諸収差の変動を抑えるために、第２−２レンズ群と第２−３レンズ群の移動比率を規定するものである。条件式（１２）の上限値又は下限値を越えると、フォーカシングに必要な空気間隔を少なくすることができず、また、フォーカシング時の諸収差の変動を抑えることができなくなってしまうため好ましくない。
【００２７】
また、本発明のレトロフォーカスレンズは、物体側から順に、負の屈折力を有する第１レンズ群と、開口絞りと、正の屈折力を有する第２レンズ群とを有し、前記第１レンズ群は、物体側から順に、物体側に凸面を向けた第１負メニスカスレンズと、物体側に凸面を向けた正レンズと、物体側に凸面を向けた第２負メニスカスレンズと、少なくとも３枚のレンズとを有し、前記第２負メニスカスレンズは、非球面レンズであり、焦点距離の３．５倍以上のバックフォーカスを有し、以下の条件式（６）を満足するように構成されている。
（６）  ２．０＜ΣＤ／ｆ＜４．０
ただし、
ΣＤ：前記第１レンズ群中にあって、前記第２負メニスカスレンズよりも像側に位置するレンズの光軸上の厚さの和
【００２８】
以下、添付図面に基づき本発明の各実施例に係るレトロフォーカスレンズについて詳細に説明する。
（第１実施例）
図１は、本発明の第１実施例に係るレトロフォーカスレンズのレンズ構成を示す図である。
図１に示すように、本実施例に係るレトロフォーカスレンズは、物体側から順に、負の屈折力を有する第１レンズ群Ｇ１と、開口絞りＳと、正の屈折力を有する第２レンズ群Ｇ２とから構成されている。
【００２９】
第１レンズ群Ｇ１は、物体側から順に、物体側に凸面を向けた負メニスカスレンズ（第１負メニスカスレンズ）Ｌ１１と、物体側に曲率のより大きい凸面を向けた両凸形状の正レンズＬ１２と、物体側に凸面を向け像側面が周辺部において中心部よりも負の屈折力が小さくなる非球面である負メニスカスレンズ（第２負メニスカスレンズ）Ｌ１３と、物体側に凸面を向けた負メニスカスレンズＬ１４と、物体側に凸面を向け物体側面が非球面である負メニスカスレンズＬ１５と、物体側に凸面を向けた負メニスカスレンズＬ１６と両凸形状の正レンズＬ１７との接合レンズと、両凹形状の負レンズＬ１８と物体側に凸面を向けた正メニスカスレンズＬ１９との接合レンズとからなる。
【００３０】
第２レンズ群Ｇ２は、物体側から順に、正の屈折力を有する第２−１レンズ群Ｇ２１と、正の屈折力を有する第２−２レンズ群Ｇ２２とからなる。
第２−１レンズ群Ｇ２１は、物体側から順に、両凸形状の正レンズＬ２１と両凹形状の負レンズＬ２２との接合レンズと、物体側面が非球面である両凸形状の正レンズＬ２３とからなる。
第２−２レンズ群Ｇ２２は、物体側から順に、両凹形状の負レンズＬ２４と両凸形状の正レンズＬ２５との接合レンズと、両凸形状の正レンズＬ２６と物体側に凹面を向けた負メニスカスレンズＬ２７との接合レンズとからなる。
【００３１】
ここで、上記非球面レンズＬ１３，Ｌ１５は、それぞれ球面レンズ面上に薄い樹脂層を設け、該樹脂層の表面を非球面として成形することによって構成されたものである。
また、第２−２レンズ群Ｇ２２中の２つの正レンズＬ２５，Ｌ２６は、それぞれｄ線（λ＝５８７．６ｎｍ）に対するアッベ数が８２．５２の低分散レンズである。
本実施例に係るレトロフォーカスレンズにおいて、遠距離から近距離へのフォーカシングに際して、第２−２レンズ群Ｇ２２のみが物体側へ移動するように構成されている。
【００３２】
以下の表１に、本発明の第１実施例に係るレトロフォーカスレンズの諸元の値を掲げる。
［全体諸元］において、ｆは焦点距離、ＦＮＯはＦナンバー、２ωは画角をそれぞれ示す。
［レンズデータ］において、第１カラムの面番号は物体側からのレンズ面の順序、第２カラムのｒはレンズ面の曲率半径、第３カラムのｄはレンズ面の間隔、第４カラムのνはｄ線（λ＝５８７．６ｎｍ）に対するアッベ数、第５カラムのｎはｄ線（λ＝５８７．６ｎｍ）に対する屈折率をそれぞれ示す。また、∞は平面、B.f.はバックフォーカスをそれぞれ示し、空気の屈折率1.0000はその記載を省略している。
【００３３】
［非球面データ］には、非球面を次式で表した場合の非球面係数を示す。ここで、Ｘ（ｙ）を非球面の頂点における接平面から高さｙにおける非球面上の位置までの光軸方向に沿った距離、ｒを近軸の曲率半径（基準球面の曲率半径）、κを円錐定数、Ｃｉを第ｉ次の非球面係数とする。
Ｘ（ｙ）＝ｙ２／［ｒ・｛１＋（１−κ・ｙ２／ｒ２）１／２｝］
＋Ｃ３・｜ｙ｜３＋Ｃ４・ｙ４＋Ｃ５・｜ｙ｜５＋Ｃ６・ｙ６
＋Ｃ８・ｙ８＋Ｃ１０・ｙ１０＋Ｃ１２・ｙ１２
尚、「E-n」は「×１０−ｎ」を示し、例えば「1.234E-05」は「1.234×10−５」を示す。
【００３４】
［フォーカシングデータ］には、無限遠合焦状態の焦点距離ｆ、撮影倍率1/40倍状態の撮影倍率β、および可変間隔の値を示す。Ｄ０は物体から第１レンズ面までの距離を示し、Ｒは物体から像面Ｉまでの距離を示し、B.f.はバックフォーカスの値をそれぞれ示す。
ここで、以下の各実施例の全ての諸元値において掲載されている焦点距離ｆ、曲率半径ｒ、その他長さの単位は一般に「ｍｍ」が使われる。しかし光学系は、比例拡大または比例縮小しても同等の光学性能が得られるため、単位は「ｍｍ」に限られるものではない。
なお、以下の全実施例の諸元値においても、本実施例と同様の符号を用いる。
【００３５】
（表１）
［全体諸元］
ｆ＝9.601
ＦＮＯ＝2.90
２ω＝114.6°
［レンズデータ］
面番号     ｒ        ｄ      ν       ｎ
1      60.2661   3.0000   42.72   1.834807
2      36.0000   8.4044
3      83.8526   6.1778   38.03   1.603420
4   -1743.6769   0.2000
5      62.2757   2.0000   42.72   1.834807
6      24.7178   0.0300   38.09   1.553890
7      16.0000   3.0000                     非球面
8      32.0080   1.8000   46.57   1.804000
9      14.4893   4.5658
10      28.5432   0.0300   38.09   1.553890  非球面
11      30.0496   1.8000   46.57   1.804000
12      19.9120   2.3084
13      85.2909   7.9000   42.72   1.834807
14      14.3748   7.7710   40.75   1.581439
15     -29.9543   1.0000
16    -124.0020   7.9000   42.72   1.834807
17      10.4109   2.9009   31.07   1.688931
18     107.6002   2.5000
19        ∞      2.5000                     開口絞りＳ
20      25.4917   4.2387   30.13   1.698947
21     -13.1233   2.9254   42.72   1.834807
22      30.3460   1.0000
23      18.6639   4.0275   59.37   1.583126  非球面
24     -34.1660   (d24)
25    -146.3255   1.2000   34.97   1.800999
26      21.8526   5.9159   82.52   1.497820
27     -17.9639   0.2000
28      94.0076   7.1721   82.52   1.497820
29     -11.2149   1.2000   34.97   1.800999
30     -26.0232   (B.f.)
[非球面データ]
（第７面）
κ    ＝   0.5846
Ｃ３  ＝  -3.3743E-04
Ｃ４  ＝  -5.5950E-05
Ｃ５  ＝  -9.1178E-07
Ｃ６  ＝   2.5516E-07
Ｃ８  ＝  -1.0582E-09
Ｃ１０＝   2.5841E-12
Ｃ１２＝  -1.1711E-15
（第１０面）
κ    ＝  -97.0000
Ｃ３  ＝   1.0204E-03
Ｃ４  ＝   1.8608E-05
Ｃ５  ＝  -6.8249E-06
Ｃ６  ＝   1.0391E-07
Ｃ８  ＝   1.5121E-09
Ｃ１０＝   7.5178E-12
Ｃ１２＝  -1.8108E-14
（第２３面）
κ    ＝   0.8836
Ｃ３  ＝  -6.2430E-05
Ｃ４  ＝  -2.8643E-06
Ｃ５  ＝  -8.1856E-07
Ｃ６  ＝  -9.4280E-08
Ｃ８  ＝   2.1543E-09
Ｃ１０＝  -2.1539E-11
Ｃ１２＝   7.6069E-14
［フォーカシングデータ］
無限遠合焦状態        撮影倍率1/40倍状態
ｆ，β       9.60105                -0.02500
Ｒ            ∞                   495.23665
Ｄ０          ∞                   359.4769
d24          2.59195                 2.34124
B.f.        39.49999                39.75070
【００３６】
図２（ａ），（ｂ）は、それぞれ本発明の第１実施例に係るレトロフォーカスレンズの無限遠合焦状態，撮影倍率1/40倍状態の諸収差図である。
各収差図において、ＦＮＯはＦナンバー、ＮＡは開口数、Ｙは像高をそれぞれ示す。尚、球面収差図では最大口径に対応するＦナンバーの値を示し、非点収差図および歪曲収差図では像高の最大値をそれぞれ示し、コマ収差図では各像高の値を示す。また、ｄはｄ線（λ＝５８７．６ｎｍ）、ｇはｇ線（λ＝４３５．８ｎｍ）、ＣはＣ線（λ＝６５６．３ｎｍ）、ＦはＦ（λ＝４８６．１ｎｍ）をそれぞれ示す。さらに、非点収差図において、実線はサジタル像面、破線はメリディオナル像面をそれぞれ示す。
尚、以下に示す各実施例の諸収差図において、本実施例と同様の符号を用いる。
【００３７】
各諸収差図より本実施例に係るレトロフォーカスレンズは、諸収差を良好に補正し、優れた結像性能を有することがわかる。
【００３８】
（第２実施例）
図３は、本発明の第２実施例に係るレトロフォーカスレンズのレンズ構成を示す図である。
図３に示すように、本実施例に係るレトロフォーカスレンズは、物体側から順に、負の屈折力を有する第１レンズ群Ｇ１と、開口絞りＳと、正の屈折力を有する第２レンズ群Ｇ２とから構成されている。
【００３９】
第１レンズ群Ｇ１は、物体側から順に、物体側に凸面を向けた負メニスカスレンズ（第１負メニスカスレンズ）Ｌ１１と、物体側に曲率のより大きい凸面を向けた両凸形状の正レンズＬ１２と、物体側に凸面を向け像側面が周辺部において中心部よりも負の屈折力が小さくなる非球面である負メニスカスレンズ（第２負メニスカスレンズ）Ｌ１３と、物体側に凸面を向けた負メニスカスレンズＬ１４と、物体側に凸面を向け物体側面が非球面である負メニスカスレンズＬ１５と、物体側に凸面を向けた負メニスカスレンズＬ１６と両凸形状の正レンズＬ１７との接合レンズと、両凹形状の負レンズＬ１８と両凸形状の正レンズＬ１９との接合レンズとからなる。
【００４０】
第２レンズ群Ｇ２は、物体側から順に、正の屈折力を有する第２−１レンズ群Ｇ２１と、正の屈折力を有する第２−２レンズ群Ｇ２２と、正の屈折力を有する第２−３レンズ群Ｇ２３とからなる。
第２−１レンズ群Ｇ２１は、物体側から順に、物体側に凹面を向けた正メニスカスレンズＬ２１と両凹形状の負レンズＬ２２との接合レンズと、物体側面が非球面である両凸形状の正レンズＬ２３とからなる。
第２−２レンズ群Ｇ２２は、物体側から順に、物体側に凸面を向けた負メニスカスレンズＬ２４と両凸形状の正レンズＬ２５との接合レンズからなる。
第２−３レンズ群Ｇ２３は、物体側から順に、両凸形状の正レンズＬ２６と物体側に凹面を向けた負メニスカスレンズＬ２７との接合レンズからなる。
【００４１】
ここで、上記非球面レンズＬ１３，Ｌ１５は、それぞれ球面レンズ面上に薄い樹脂層を設け、該樹脂層の表面を非球面として成形することによって構成されたものである。
また、第２−２レンズ群Ｇ２２中の正レンズＬ２５，第２−３レンズ群Ｇ２３中のＬ２６は、それぞれｄ線（λ＝５８７．６ｎｍ）に対するアッベ数が８２．５２の低分散レンズである。
本実施例に係るレトロフォーカスレンズにおいて、遠距離から近距離へのフォーカシングに際して、第２−２レンズ群Ｇ２２のみが物体側へ移動するように構成されている。
以下の表２に、本発明の第２実施例に係るレトロフォーカスレンズの諸元の値を掲げる。
【００４２】
（表２）
［全体諸元］
ｆ＝9.600
ＦＮＯ＝2.91
２ω＝114.6°
［レンズデータ］
面番号     ｒ        ｄ      ν       ｎ
1      60.1249   3.0000   42.72   1.834807
2      36.0000  10.0898
3     117.2702   5.6999   38.03   1.603420
4    -492.5233   0.2000
5      63.6210   2.0000   42.72   1.834807
6      23.9941   0.0300   38.09   1.553890
7      16.0045   3.1212                     非球面
8      31.8950   1.8000   46.57   1.804000
9      15.0108   5.1519
10      26.1235   0.0300   38.09   1.553890  非球面
11      27.7603   1.8000   46.57   1.804000
12      21.3064   2.2465
13      93.4386   7.8645   42.72   1.834807
14      15.0138   7.8966   40.75   1.581439
15     -22.8094   1.0000
16     -49.2357   5.2516   42.72   1.834807
17      11.1925   3.6385   31.07   1.688931
18     -48.2372   2.5000
19        ∞      2.5000                     開口絞りＳ
20     -58.7292   7.2984   30.13   1.698947
21      -9.9231   1.2000   42.72   1.834807
22      64.6725   1.0000
23      21.0819   4.6115   59.37   1.583126  非球面
24     -18.9298   (d24)
25     252.2779   1.2000   34.97   1.800999
26      16.3556   7.3092   82.52   1.497820
27     -21.5606   (d27)
28     214.8765   5.8458   82.52   1.497820
29     -16.2225   1.2000   34.97   1.800999
30     -34.4814   (B.f.)
[非球面データ]
（第７面）
κ    ＝   0.5601
Ｃ３  ＝  -2.1219E-04
Ｃ４  ＝  -6.2117E-05  
Ｃ５  ＝  -7.7649E-07
Ｃ６  ＝   2.6144E-07
Ｃ８  ＝  -1.0854E-09
Ｃ１０＝   2.5097E-12
Ｃ１２＝  -4.3508E-16
（第１０面）
κ    ＝  -97.0000
Ｃ３  ＝   1.5638E-03
Ｃ４  ＝  -2.2761E-05
Ｃ５  ＝  -6.9812E-06
Ｃ６  ＝   1.3536E-07
Ｃ８  ＝   1.6737E-09
Ｃ１０＝   8.3830E-12
Ｃ１２＝  -3.0489E-14
（第１０面）
κ    ＝  -0.1486
Ｃ３  ＝  -8.5063E-05
Ｃ４  ＝  -1.4591E-05
Ｃ５  ＝  -5.2319E-07
Ｃ６  ＝  -8.0478E-08
Ｃ８  ＝   1.6567E-09
Ｃ１０＝  -1.5604E-11
Ｃ１２＝   6.4136E-14 
［フォーカシングデータ］
無限遠合焦状態        撮影倍率1/40倍状態
ｆ，β       9.60000                -0.02500
Ｒ            ∞                   499.28597
Ｄ０          ∞                   358.5661
d24          5.03444                 4.41809
d27          0.70000                 1.31636
B.f.        39.50002                39.50002
【００４３】
図４（ａ），（ｂ）は、それぞれ本発明の第２実施例に係るレトロフォーカスレンズの無限遠合焦状態，撮影倍率1/40倍状態の諸収差図である。
各諸収差図より本実施例に係るレトロフォーカスレンズは、諸収差を良好に補正し、優れた結像性能を有することがわかる。
【００４４】
（第３実施例）
図５は、本発明の第３実施例に係るレトロフォーカスレンズのレンズ構成を示す図である。
図５に示すように、本実施例に係るレトロフォーカスレンズは、物体側から順に、負の屈折力を有する第１レンズ群Ｇ１と、開口絞りＳと、正の屈折力を有する第２レンズ群Ｇ２とから構成されている。
【００４５】
第１レンズ群Ｇ１は、物体側から順に、物体側に凸面を向けた負メニスカスレンズ（第１負メニスカスレンズ）Ｌ１１と、物体側に曲率のより大きい凸面を向けた両凸形状の正レンズＬ１２と、物体側に凸面を向け像側面が周辺部において中心部よりも負の屈折力が小さくなる非球面である負メニスカスレンズ（第２負メニスカスレンズ）Ｌ１３と、物体側に凸面を向けた負メニスカスレンズＬ１４と、物体側に凸面を向け物体側面が非球面である負メニスカスレンズＬ１５と、物体側に凸面を向けた負メニスカスレンズＬ１６と両凸形状の正レンズＬ１７との接合レンズと、両凹形状の負レンズＬ１８と両凸形状の正レンズＬ１９との接合レンズとからなる。
【００４６】
第２レンズ群Ｇ２は、物体側から順に、正の屈折力を有する第２−１レンズ群Ｇ２１と、正の屈折力を有する第２−２レンズ群Ｇ２２と、正の屈折力を有する第２−３レンズ群Ｇ２３とからなる。
第２−１レンズ群Ｇ２１は、物体側から順に、両凸形状の正レンズＬ２１と両凹形状の負レンズＬ２２との接合レンズと、物体側面が非球面である両凸形状の正レンズＬ２３とからなる。
第２−２レンズ群Ｇ２２は、物体側から順に、物体側に凸面を向けた負メニスカスレンズＬ２４と両凸形状の正レンズＬ２５との接合レンズからなる。
第２−３レンズ群Ｇ２３は、物体側から順に、両凸形状の正レンズＬ２６と物体側に凹面を向けた負メニスカスレンズＬ２７との接合レンズからなる。
【００４７】
ここで、上記非球面レンズＬ１３，Ｌ１５は、それぞれ球面レンズ面上に薄い樹脂層を設け、該樹脂層の表面を非球面として成形することによって構成されたものである。
また、第２−２レンズ群Ｇ２２中の正レンズＬ２５，第２−３レンズ群Ｇ２３中のＬ２６は、それぞれｄ線（λ＝５８７．６ｎｍ）に対するアッベ数が８２．５２の低分散レンズである。
本実施例に係るレトロフォーカスレンズにおいて、遠距離から近距離へのフォーカシングに際して、第２−２レンズ群Ｇ２２のみが物体側へ移動するように構成されている。
以下の表３に、本発明の第３実施例に係るレトロフォーカスレンズの諸元の値を掲げる。
【００４８】
（表３）
［全体諸元］
ｆ＝9.600
ＦＮＯ＝2.89
２ω＝114.6°
［レンズデータ］
面番号     ｒ        ｄ      ν       ｎ
1      62.4243   3.0000   42.72   1.834807
2      36.0000   8.5125
3      88.9172   5.9757   38.03   1.603420
4   -1035.1271   0.2000
5      55.6701   2.0000   42.72   1.834807
6      24.4921   0.0300   38.09   1.553890
7      16.0000   3.0000                     非球面
8      31.6577   1.8000   46.57   1.804000
9      13.9993   4.6833
10      27.9422   0.0300   38.09   1.553890  非球面
11      30.0568   1.8000   46.57   1.804000
12      21.3769   2.0484
13      83.3011   7.9000   42.72   1.834807
14      13.6672   7.2189   40.75   1.581439
15     -23.8796   1.0000
16     -51.5310   7.5482   42.72   1.834807
17      11.7021   2.8501   31.07   1.688931
18    -511.4076   2.5000
19        ∞      2.5000                      開口絞りＳ
20      49.3837   3.8308   30.13   1.698947
21     -11.5535   5.4132   42.72   1.834807
22      45.1690   1.0000
23      21.9416   4.3577   59.37   1.583126  非球面
24     -23.4144   (d24)
25     931.0004   1.2000   34.97   1.800999
26      16.5951   6.8029   82.52   1.497820
27     -20.8577   (d27)
28     129.9447   5.6592   82.52   1.497820
29     -16.0099   1.2000   34.97   1.800999
30     -35.6169   (B.f.)
[非球面データ]
（第７面）
κ    ＝   0.5999
Ｃ３  ＝  -2.7406E-04
Ｃ４  ＝  -6.3204E-05
Ｃ５  ＝  -7.7218E-07
Ｃ６  ＝   2.6957E-07
Ｃ８  ＝  -1.0800E-09
Ｃ１０＝   2.3419E-12
Ｃ１２＝  -4.9029E-16
（第１０面）
κ    ＝  -97.0000
Ｃ３  ＝   1.2351E-03
Ｃ４  ＝  -1.7517E-05
Ｃ５  ＝  -4.8500E-06
Ｃ６  ＝   1.0460E-07
Ｃ８  ＝   7.1238E-10
Ｃ１０＝   1.2855E-11
Ｃ１２＝  -2.5861E-14
（第２３面）
κ    ＝   0.4762  
Ｃ３  ＝  -6.2611E-05
Ｃ４  ＝  -6.7244E-06
Ｃ５  ＝  -4.1881E-07
Ｃ６  ＝  -9.8355E-08
Ｃ８  ＝   1.5649E-09
Ｃ１０＝  -1.2689E-11
Ｃ１２＝   3.6962E-14
［フォーカシングデータ］
無限遠合焦状態        撮影倍率1/40倍状態
ｆ，β       9.59998                -0.02500
Ｒ            ∞                   497.88726
Ｄ０          ∞                   359.6655
d24          3.66092                 2.94751
d27          1.00000                 1.71342
B.f.        39.50006                39.50006
【００４９】
図６（ａ），（ｂ）は、それぞれ本発明の第３実施例に係るレトロフォーカスレンズの無限遠合焦状態，撮影倍率1/40倍状態の諸収差図である。
各諸収差図より本実施例に係るレトロフォーカスレンズは、諸収差を良好に補正し、優れた結像性能を有することがわかる。
【００５０】
（第４実施例）
図７は、本発明の第４実施例に係るレトロフォーカスレンズのレンズ構成を示す図である。
図７に示すように、本実施例に係るレトロフォーカスレンズは、物体側から順に、負の屈折力を有する第１レンズ群Ｇ１と、開口絞りＳと、正の屈折力を有する第２レンズ群Ｇ２とから構成されている。
【００５１】
第１レンズ群Ｇ１は、物体側から順に、物体側に凸面を向けた負メニスカスレンズ（第１負メニスカスレンズ）Ｌ１１と、物体側に凸面を向けた正メニスカスレンズＬ１２と、物体側に凸面を向け像側面が周辺部において中心部よりも負の屈折力が小さくなる非球面である負メニスカスレンズ（第２負メニスカスレンズ）Ｌ１３と、物体側に凸面を向けた負メニスカスレンズＬ１４と、物体側に凸面を向け物体側面が非球面である負メニスカスレンズＬ１５と、物体側に凸面を向けた負メニスカスレンズＬ１６と両凸形状の正レンズＬ１７との接合レンズと、物体側に凸面を向けた負メニスカスレンズＬ１８と物体側に凸面を向けた正メニスカスレンズＬ１９との接合レンズとからなる。
【００５２】
第２レンズ群Ｇ２は、物体側から順に、正の屈折力を有する第２−１レンズ群Ｇ２１と、小さい負の屈折力を有する第２−２レンズ群Ｇ２２と、正の屈折力を有する第２−３レンズ群Ｇ２３とからなる。
第２−１レンズ群Ｇ２１は、物体側から順に、両凸形状の正レンズＬ２１と両凹形状の負レンズＬ２２との接合レンズと、物体側面が非球面である両凸形状の正レンズＬ２３とからなる。
第２−２レンズ群Ｇ２２は、物体側から順に、両凹形状の負レンズＬ２４と両凸形状の正レンズＬ２５との接合レンズからなる。
第２−３レンズ群Ｇ２３は、物体側から順に、両凸形状の正レンズＬ２６と物体側に凹面を向けた負メニスカスレンズＬ２７との接合レンズからなる。
【００５３】
ここで、上記非球面レンズＬ１３，Ｌ１５は、それぞれ球面レンズ面上に薄い樹脂層を設け、該樹脂層の表面を非球面として成形することによって構成されたものである。
また、第２−２レンズ群Ｇ２２中の正レンズＬ２５，第２−３レンズ群Ｇ２３中のＬ２６は、それぞれｄ線（λ＝５８７．６ｎｍ）に対するアッベ数が８２．５２の低分散レンズである。
本実施例に係るレトロフォーカスレンズにおいて、遠距離から近距離へのフォーカシングに際して、第２−２レンズ群Ｇ２２と第２−３レンズ群Ｇ２３とが物体側へ異なる比率で移動するように構成されている。本実施例において、第２−２レンズ群Ｇ２２の移動量に対する第２−３レンズ群Ｇ２３の移動量の比率は、０．６である。
以下の表３に、本発明の第３実施例に係るレトロフォーカスレンズの諸元の値を掲げる。
【００５４】
（表４）
［全体諸元］
ｆ＝9.628
ＦＮＯ＝2.95
２ω＝114.4°
［レンズデータ］
面番号     ｒ        ｄ      ν       ｎ
1      58.4292   3.0000   42.71   1.834807
2      36.0000   7.6967
3      75.1398   5.9012   38.03   1.603420
4     601.4064   0.2000
5      50.6865   1.2000   42.71   1.834807
6      22.2573   0.0300   38.09   1.553890
7      16.0000   3.7432                     非球面
8      30.2496   1.2000   46.57   1.804000
9      14.0919   5.6545
10      26.0274   0.0300   38.09   1.553890  非球面
11      21.9587   1.2000   46.57   1.804000
12      17.2090   4.8526
13      63.1242   7.9000   42.71   1.834807
14      16.2777   7.9000   40.75   1.581439
15     -33.9387   1.0000
16    2064.5567   7.9000   42.71   1.834807
17       9.3971   3.2400   31.07   1.688931
18      99.6249   2.5000
19        ∞      2.5000                     開口絞りＳ
20      32.8606   4.6032   30.13   1.698947
21     -11.8057   1.2622   42.71   1.834807
22      33.6284   1.0000
23      19.1849   4.5441   59.37   1.583126  非球面
24     -21.3033   (d24)
25     -48.2311   1.2000   34.97   1.800999
26      21.4610   5.4940   82.52   1.497820
27     -18.7540   (d27)
28     139.9642   7.1163   82.52   1.497820
29     -10.9318   1.2000   34.97   1.800999
30     -21.8963   (B.f.)
[非球面データ]
（第７面）
κ    ＝   0.5976
Ｃ３  ＝   1.2583E-04 
Ｃ４  ＝  -8.3647E-05
Ｃ５  ＝  -9.9926E-07
Ｃ６  ＝   3.3825E-07
Ｃ８  ＝  -1.0738E-09 
Ｃ１０＝   2.0744E-12
Ｃ１２＝  -4.7611E-16
（第１０面）
κ    ＝  -20.8868 
Ｃ３  ＝   1.6188E-04
Ｃ４  ＝   8.6571E-05
Ｃ５  ＝  -4.3923E-06 
Ｃ６  ＝   1.2587E-07 
Ｃ８  ＝   7.2683E-10 
Ｃ１０＝   3.0768E-12
Ｃ１２＝   1.9553E-14
（第２３面）
κ    ＝   0.9254 
Ｃ３  ＝  -5.7983E-05 
Ｃ４  ＝  -1.3631E-06
Ｃ５  ＝  -8.3413E-07
Ｃ６  ＝  -1.1313E-07
Ｃ８  ＝   1.9868E-09 
Ｃ１０＝  -2.0715E-11
Ｃ１２＝   7.0028E-14
［フォーカシングデータ］
無限遠合焦状態        撮影倍率1/40倍状態
ｆ，β       9.62842                -0.02500
Ｒ            ∞                   496.05261
Ｄ０          ∞                   359.6926
d24          2.59194                 1.88841
d27          0.20000                 0.48141
B.f.        39.50005                39.92217
【００５５】
図８（ａ），（ｂ）は、それぞれ本発明の第４実施例に係るレトロフォーカスレンズの無限遠合焦状態，撮影倍率1/40倍状態の諸収差図である。
各諸収差図より本実施例に係るレトロフォーカスレンズは、諸収差を良好に補正し、優れた結像性能を有することがわかる。
【００５６】
（第５実施例）
図９は、本発明の第５実施例に係るレトロフォーカスレンズのレンズ構成を示す図である。
図９に示すように、本実施例に係るレトロフォーカスレンズは、物体側から順に、負の屈折力を有する第１レンズ群Ｇ１と、開口絞りＳと、正の屈折力を有する第２レンズ群Ｇ２とから構成されている。
【００５７】
第１レンズ群Ｇ１は、物体側から順に、物体側に凸面を向けた負メニスカスレンズ（第１負メニスカスレンズ）Ｌ１１と、物体側に曲率のより大きい凸面を向けた両凸形状の正レンズＬ１２と、物体側に凸面を向け像側面が周辺部において中心部よりも負の屈折力が小さくなる非球面である負メニスカスレンズ（第２負メニスカスレンズ）Ｌ１３と、物体側に凸面を向けた負メニスカスレンズＬ１４と、物体側に凸面を向け物体側面が非球面である負メニスカスレンズＬ１５と、物体側に凸面を向けた負メニスカスレンズＬ１６と両凸形状の正レンズＬ１７との接合レンズと、両凹形状の負レンズＬ１８と物体側に凸面を向けた正メニスカスレンズＬ１９との接合レンズとからなる。
【００５８】
第２レンズ群Ｇ２は、物体側から順に、正の屈折力を有する第２−１レンズ群Ｇ２１と、正の屈折力を有する第２−２レンズ群Ｇ２２とからなる。
第２−１レンズ群Ｇ２１は、物体側から順に、両凸形状の正レンズＬ２１と両凹形状の負レンズＬ２２との接合レンズと、物体側面が非球面である両凸形状の正レンズＬ２３とからなる。
第２−２レンズ群Ｇ２２は、物体側から順に、両凹形状の負レンズＬ２４と両凸形状の正レンズＬ２５との接合レンズと、両凸形状の正レンズＬ２６と物体側に凹面を向けた負メニスカスレンズＬ２７との接合レンズとからなる。
【００５９】
ここで、上記非球面レンズＬ１３，Ｌ１５，Ｌ２３は、それぞれ球面レンズ面上に薄い樹脂層を設け、該樹脂層の表面を非球面として成形することによって構成されたものである。
また、第２−２レンズ群Ｇ２２中の２つの正レンズＬ２５，Ｌ２６は、それぞれｄ線（λ＝５８７．６ｎｍ）に対するアッベ数が８２．５２の低分散レンズである。
本実施例に係るレトロフォーカスレンズにおいて、遠距離から近距離へのフォーカシングに際して、第２−２レンズ群Ｇ２２のみが物体側へ移動するように構成されている。
以下の表５に、本発明の第５実施例に係るレトロフォーカスレンズの諸元の値を掲げる。
【００６０】
（表５）
［全体諸元］
ｆ＝9.567
ＦＮＯ＝2.90
２ω＝114.8°
［レンズデータ］
面番号     ｒ        ｄ      ν       ｎ
1      60.2661   3.0000   42.72   1.834807
2      36.0000   8.8000
3      83.8526   6.1778   38.03   1.603420
4   -1743.6769   0.2000
5      62.2757   2.0000   42.72   1.834807
6      24.7178   0.0300   38.09   1.553890
7      16.0000   3.0000                     非球面
8      32.0080   1.8000   46.57   1.804000
9      14.4893   4.5658           1.000000
10      28.5432   0.0300   38.09   1.553890  非球面
11      30.0496   1.8000   46.57   1.804000
12      19.9120   2.3084
13      85.2909   7.9000   42.72   1.834807
14      14.3748   7.7710   40.75   1.581439
15     -29.9543   1.0000
16    -124.0020   7.9000   42.72   1.834807
17      10.4109   2.9009   31.07   1.688931
18     107.6002   2.5000
19        ∞      2.5000                     開口絞りＳ
20      25.4917   4.2387   30.13   1.698947
21     -13.1233   2.9254   42.72   1.834807
22      30.3460   1.0000
23      18.6462   0.1000   38.09   1.553890  非球面
24      18.7816   3.9274   59.38   1.583130
25     -34.1660   (d25)
26    -146.3255   1.2000   34.97   1.800999
27      21.8526   5.9159   82.52   1.497820
28     -17.9639   0.2000
29      94.0076   7.1721   82.52   1.497820
30     -11.2149   1.2000   34.97   1.800999
31     -26.0232   (B.f.)
[非球面データ]
（第７面）
κ    ＝   0.5846 
Ｃ３  ＝  -3.3743E-04 
Ｃ４  ＝  -5.5904E-05
Ｃ５  ＝  -9.1178E-07
Ｃ６  ＝   2.5516E-07 
Ｃ８  ＝  -1.0582E-09
Ｃ１０＝   2.5841E-12
Ｃ１２＝  -1.1711E-15 
（第１０面）
κ    ＝  -97.0000
Ｃ３  ＝   1.0204E-03
Ｃ４  ＝   1.8608E-05
Ｃ５  ＝  -6.8053E-06 
Ｃ６  ＝   1.0391E-07 
Ｃ８  ＝   1.5151E-09
Ｃ１０＝   7.5178E-12
Ｃ１２＝  -1.8108E-14 
（第２３面）
κ    ＝   0.8611 
Ｃ３  ＝  -6.2430E-05
Ｃ４  ＝  -4.5806E-06
Ｃ５  ＝  -8.1856E-07
Ｃ６  ＝  -6.5984E-08 
Ｃ８  ＝   1.9593E-09
Ｃ１０＝  -2.1539E-11
Ｃ１２＝   7.6069E-14 
［フォーカシングデータ］
無限遠合焦状態        撮影倍率1/40倍状態
ｆ，β       9.56691                -0.02500
Ｒ            ∞                   493.96041
Ｄ０          ∞                   357.8430
d25          2.59195                 2.34205
B.f.        39.46205                39.71195
【００６１】
以下の表６に、上記各実施例に係るレトロフォーカスレンズの条件式対応値を掲げる。
（表６）
第１実施例    第２実施例    第３実施例    第４実施例    第５実施例
（１）     -0.756        -1.406        -0.879        -0.868        -0.756
（２）      2.359         2.782         2.522         3.237         2.366
（３）      6.277         6.263         6.503         6.054         6.299
（４）      3.750         3.750         3.750         3.739         3.763
（５）      8.734        12.216         9.262         7.804         8.765
（６）      3.135         2.946         3.036         3.050         3.146
（７）     82.52         82.52         82.52         82.52         82.52
（８）      0.562          −            −            −           0.562
（９）      0.209          −            −            −           0.209
（１０）     −           0.748         0.906          −            −
（１１）     −           0.507         0.697          −            −
（１２）     −            −            −           0.600          −
【００６２】
図１０（ａ），（ｂ）は、それぞれ本発明の第５実施例に係るレトロフォーカスレンズの無限遠合焦状態，撮影倍率1/40倍状態の諸収差図である。
各諸収差図より本実施例に係るレトロフォーカスレンズは、諸収差を良好に補正し、優れた結像性能を有することがわかる。
【００６３】
上記各実施例によれば、フィルム又は固体撮像素子を用いる一眼レフカメラに適し、焦点距離の３．５倍以上のバックフォーカスを有し、良好な結像性能を有するレトロフォーカスレンズを提供することができる。
【図面の簡単な説明】
【００６４】
【図１】本発明の第１実施例に係るレトロフォーカスレンズのレンズ構成を示す図である。
【図２】（ａ），（ｂ）は、それぞれ本発明の第１実施例に係るレトロフォーカスレンズの無限遠合焦状態，撮影倍率1/40倍状態の諸収差図である。
【図３】本発明の第２実施例に係るレトロフォーカスレンズのレンズ構成を示す図である。
【図４】（ａ），（ｂ）は、それぞれ本発明の第２実施例に係るレトロフォーカスレンズの無限遠合焦状態，撮影倍率1/40倍状態の諸収差図である。
【図５】本発明の第３実施例に係るレトロフォーカスレンズのレンズ構成を示す図である。
【図６】（ａ），（ｂ）は、それぞれ本発明の第３実施例に係るレトロフォーカスレンズの無限遠合焦状態，撮影倍率1/40倍状態の諸収差図である。
【図７】本発明の第４実施例に係るレトロフォーカスレンズのレンズ構成を示す図である。
【図８】（ａ），（ｂ）は、それぞれ本発明の第４実施例に係るレトロフォーカスレンズの無限遠合焦状態，撮影倍率1/40倍状態の諸収差図である。
【図９】本発明の第５実施例に係るレトロフォーカスレンズのレンズ構成を示す図である。
【図１０】（ａ），（ｂ）は、それぞれ本発明の第５実施例に係るレトロフォーカスレンズの無限遠合焦状態，撮影倍率1/40倍状態の諸収差図である。
【符号の説明】
【００６５】
Ｇ１      第１レンズ群
Ｇ２      第２レンズ群
Ｇ２１    第２−１レンズ群
Ｇ２２    第２−２レンズ群
Ｇ２３    第２−３レンズ群
Ｓ        開口絞り
Ｉ        像面
【図１】
0004706179.tif 000002
【図２】
0004706179.tif 000003
【図３】
0004706179.tif 000004
【図４】
0004706179.tif 000005
【図５】
0004706179.tif 000006
【図６】
0004706179.tif 000007
【図７】
0004706179.tif 000008
【図８】
0004706179.tif 000009
【図９】
0004706179.tif 000010
【図１０】
0004706179.tif 000011